(57)【要約】【課題】  制御局と測位アシストサーバ間でアシストデータを配信する際に、ネットワークリソースを有効に利用する。【解決手段】  ＧＰＳ測位アシストデータを要求する移動機１と、移動機から要求される前記ＧＰＳ測位アシストデータを取得して配信する制御局２と、制御局に通信可能に接続され、ＧＰＳ衛星からのＧＰＳ信号を受信してＧＰＳ測位アシストデータを作成し保持するＧＰＳ測位アシストサーバ３とを備え、制御局２は、移動機１から要求される測位要求数のトラヒック量に基づいて作成される第１のアシストデータ配信スケジュールを管理する第１のアシストデータ配信スケジュール管理手段と、移動機から要求される時間帯別に作成される第２のアシストデータ配信スケジュールを管理する第２のアシストデータ配信スケジュール管理手段と、を備える。【選択図】      図２
2006058178.tif 000002
【特許請求の範囲】
【請求項１】
複数のＧＰＳ衛星それぞれに対応してＧＰＳ測位演算を行う際に必要となるＧＰＳ測位アシストデータを要求する移動機と、前記移動機と双方向に通信可能に接続され、前記移動機から要求される前記ＧＰＳ測位アシストデータを取得して配信する制御局と、前記制御局に通信可能に接続され、前記ＧＰＳ衛星からのＧＰＳ信号を受信して前記ＧＰＳ測位アシストデータを作成し保持するＧＰＳ測位アシストサーバとを備え、前記制御局から前記ＧＰＳ測位アシストサーバに対して前記ＧＰＳ測位アシストデータが要求されると、前記ＧＰＳ測位アシストサーバから前記制御局に対し前記ＧＰＳ測位アシストデータが配信されるＧＰＳ測位アシストデータ配信システムにおいて、
前記制御局は、
前記移動機から要求される測位要求数のトラヒック量に基づいて作成される第１のアシストデータ配信スケジュールを管理する第１のアシストデータ配信スケジュール管理手段と、
前記移動機から要求される時間帯別に作成される第２のアシストデータ配信スケジュールを管理する第２のアシストデータ配信スケジュール管理手段と、を備え、
前記第１のアシストデータ配信スケジュールと前記第２のアシストデータ配信スケジュールとに基づいて、前記ＧＰＳ測位アシストサーバから前記制御局に前記ＧＰＳ測位アシストデータが配信されることを特徴とするＧＰＳ測位アシストデータ配信システム。
【請求項２】
前記第１のアシストデータ配信スケジュール管理手段は、一定期間当たりのトラヒック量を監視し、トラヒック量が閾値を超過するまでは、一定時間経過後で初めての要求であった場合に、前記ＧＰＳ測位アシストサーバから前記制御局に前記ＧＰＳ測位アシストデータが配信されるようスケジューリングすることを特徴とする請求項１記載のＧＰＳ測位アシストデータ配信システム。
【請求項３】
前記第１のアシストデータ配信スケジュール管理手段は、一定期間当たりのトラヒック量を監視し、トラヒック量が閾値を超過した後、一定時間経過時点で前記ＧＰＳ測位アシストサーバから前記制御局に前記ＧＰＳ測位アシストデータが要求されるようスケジューリングすることを特徴とする請求項１記載のＧＰＳ測位アシストデータ配信システム。
【請求項４】
前記第２のアシストデータ配信スケジュール管理手段は、夜間時間帯の場合は、一定時間経過後で初めての要求であった場合に、前記ＧＰＳ測位アシストサーバから前記制御局に前記ＧＰＳ測位アシストデータが配信されるようスケジューリングすることを特徴とする請求項１記載のＧＰＳ測位アシストデータ配信システム。
【請求項５】
前記第２のアシストデータ配信スケジュール管理手段は、日中時間帯の場合は、一定時間経過時点で前記ＧＰＳ測位アシストサーバから前記制御局に前記ＧＰＳ測位アシストデータが要求されるようスケジューリングすることを特徴とする請求項１記載のＧＰＳ測位アシストデータ配信システム。
【請求項６】
ＧＰＳ測位アシストサーバに蓄えられＧＰＳ測位演算を行う際に必要となる複数の衛星それぞれに対応するＧＰＳ測位アシストデータをＧＰＳ測位アシストデータ要求機器から要求された際に該ＧＰＳ測位アシストデータ要求機器に配信するＧＰＳ測位アシストデータ配信方法であって、
前記ＧＰＳ測位アシストデータ要求機器から要求される測位要求数のトラヒック量と時刻情報とに基づいて、アシストデータ配信スケジュールを作成し、当該アシストデータ配信スケジュールに従って、前記ＧＰＳ測位アシストサーバに蓄えられた前記ＧＰＳ測位アシストデータを前記ＧＰＳ測位アシストデータ要求機器に配信することを特徴とするＧＰＳ測位アシストデータ配信方法。
【発明の詳細な説明】
【技術分野】
【０００１】
この発明は、ＧＰＳ（Ｇｌｏｂａｌ Ｐｏｓｉｔｉｏｎｉｎｇ Ｓｙｓｔｅｍ）測位アシストサーバＳＡＳ（Ｓｔａｎｄ  Ａｌｏｎｅ  ＳＭＬＣ）に蓄えられ、ＧＰＳ測位演算を行う際に必要となるＧＰＳ測位アシストデータに係り、特に、移動機からＧＰＳ測位アシストデータを要求された際に、ＧＰＳ測位アシストサーバから制御局にＧＰＳ測位アシストデータを配信するＧＰＳ測位アシストデータ配信システムおよびＧＰＳ測位アシストデータ配信方法に関する。
【背景技術】
【０００２】
地球を周回するＧＰＳ衛星から擬似雑音符号化して発信されているＧＰＳ信号を受信し、ＧＰＳ信号の地上への到達時間、ＧＰＳ信号に含まれる時刻情報、航法メッセージなどを解読して地球上の位置情報を正確に測位するＧＰＳ位置検出システムが開発されている。
このようなＧＰＳ位置検出システムでは、可視空間を周回している少なくとも４つのＧＰＳ衛星を捕捉してＧＰＳ信号を解読する。しかしながら、周回衛星を単独で捕捉し、捕捉したＧＰＳ信号を解読するには相当な時間を要する。そのため、ＧＰＳ信号を受信したＧＰＳ基準局が得た航法メッセージを、予めＧＰＳ測位アシストデータとしてＧＰＳ測位アシストサーバ（ＳＡＳ）に蓄えておき、ＧＰＳ測位演算を行おうとする通信端末から要求があった際に、このＧＰＳ測位アシストデータをＧＰＳ測位アシストサーバから要求した通信端末に送り、通信端末は、この送信されたＧＰＳ測位アシストデータによって情報を補足してＧＰＳ測位演算を行うという方法が開発されている。
【０００３】
このようなＡ−ＧＰＳ（Ａｓｓｉｓｔｅｄ−ＧＰＳ）測位方式のＧＰＳ位置検出システムにおいては、従来、通信端末から要求があると、ＧＰＳ測位アシストサーバに蓄えられた全てのＧＰＳ測位アシストデータを通信端末に配信している。
このような従来のＧＰＳ測位アシストデータ配信システムとして、ネットワーク上に設置したサーバから、通信可能な基準局の位置を概略位置情報として通信端末機に提供するために、ＧＰＳ測位アシストサーバは、通信端末機が通信可能な基準局の識別情報をキー情報として、それぞれの基準局に応じた概略位置情報を予め保存し、通信端末機が所定のＧＰＳ測位アシスト情報の要求があった時には、概略位置情報を検索し、通信端末機にＧＰＳ測位アシスト情報として返信するシステムがある（特許文献１参照）。
【０００４】
また、ＧＰＳ位置検出装置として、ＧＰＳ位置検出装置の所持者には通信費用がかかることなく常に有効な最新のＧＰＳ測位アシスト情報を提供するために、通信端末の呼出と、呼出した通信端末と双方向の音声通話を行うための音声通話処理部と、通信ネットワーク上に接続されたＧＰＳ測位アシストサーバから送られてくるＧＰＳ測位アシストサーバを処理するためのＧＰＳ測位演算処理部と、通話のための音声信号を含んだパケットデータと、ＧＰＳ測位アシストデータを含んだパケットデータとを振り分ける音声／データ処理部によって取り出されたＧＰＳ測位アシストデータを受信して、メモリ内に定期的に記憶更新させる装置がある（特許文献２参照）。
【特許文献１】特開２００２−１９５８４６号公報
【特許文献２】特開２００２−２２１５６３号公報
【発明の開示】
【発明が解決しようとする課題】
【０００５】
しかしながら、上述した特許文献１,２に記載されたような従来のＧＰＳ測位アシストデータ配信システムにおいては、実際にＧＰＳ測位アシストデータのどの情報が測位演算に使用されるのかをよく考慮せずＧＰＳ測位アシストサーバに蓄えられた全てのＧＰＳ測位アシストデータを制御局から通信端末へ、また、ＧＰＳ測位アシストサーバから制御局へ配信している。そのため、移動機からのトラヒック量または時刻情報とは無関係に制御局から測位アシストサーバへアシストデータを要求することになり、配信されるデータ量が多くなり、ネットワークリソースを無駄に使用しているという問題があった。
本発明は、上述した事情を鑑みてなされたものであって、ネットワークリソースを有効に利用できるＧＰＳ測位アシストデータ配信システムおよびＧＰＳ測位アシストデータ配信方法を提供することを目的としている。
【課題を解決するための手段】
【０００６】
上記課題を解決するために、請求項１記載のＧＰＳ測位アシストデータ配信システムは、複数のＧＰＳ衛星それぞれに対応してＧＰＳ測位演算を行う際に必要となるＧＰＳ測位アシストデータを要求する移動機と、前記移動機と双方向に通信可能に接続され、前記移動機から要求される前記ＧＰＳ測位アシストデータを取得して配信する制御局と、前記制御局に通信可能に接続され、前記ＧＰＳ衛星からのＧＰＳ信号を受信して前記ＧＰＳ測位アシストデータを作成し保持するＧＰＳ測位アシストサーバとを備え、前記制御局から前記ＧＰＳ測位アシストサーバに対して前記ＧＰＳ測位アシストデータが要求されると、前記ＧＰＳ測位アシストサーバから前記制御局に対し前記ＧＰＳ測位アシストデータが配信されるＧＰＳ測位アシストデータ配信システムにおいて、前記制御局は、前記移動機から要求される測位要求数のトラヒック量に基づいて作成される第１のアシストデータ配信スケジュールを管理する第１のアシストデータ配信スケジュール管理手段と、前記移動機から要求される時間帯別に作成される第２のアシストデータ配信スケジュールを管理する第２のアシストデータ配信スケジュール管理手段と、を備え、前記第１のアシストデータ配信スケジュールと前記第２のアシストデータ配信スケジュールとに基づいて、前記ＧＰＳ測位アシストサーバから前記制御局に前記ＧＰＳ測位アシストデータが配信されることを特徴とする。この構成によれば、トラヒック量または時刻情報に応じて制御局からＧＰＳ測位アシストサーバへアシストデータを要求するスケジュールを制御し、最適なアシストデータ配信を行なうことで、ネットワークリソースの有効利用を図ることができる。
【０００７】
また、請求項２記載のＧＰＳ測位アシストデータ配信システムは、請求項１において、前記第１のアシストデータ配信スケジュール管理手段は、一定期間当たりのトラヒック量を監視し、トラヒック量が閾値を超過するまでは、一定時間経過後で初めての要求であった場合に、前記ＧＰＳ測位アシストサーバから前記制御局に前記ＧＰＳ測位アシストデータが配信されるようスケジューリングすることを特徴とする。この構成によれば、低トラヒックの場合は、トラヒック量が閾値を超過するまでは、一定時間経過後で初めての要求であった場合に、前記ＧＰＳ測位アシストサーバから前記制御局に前記ＧＰＳ測位アシストデータが配信されるようスケジューリングするので、ネットワークリソースの有効利用を図ることができる。
【０００８】
また、請求項３記載のＧＰＳ測位アシストデータ配信システムは、請求項１において、前記第１のアシストデータ配信スケジュール管理手段は、一定期間当たりのトラヒック量を監視し、トラヒック量が閾値を超過した後、一定時間経過時点で前記ＧＰＳ測位アシストサーバから前記制御局に前記ＧＰＳ測位アシストデータが要求されるようスケジューリングすることを特徴とする。この構成によれば、高トラヒックの場合は、トラヒック量が閾値を超過した後、一定時間経過時点で前記ＧＰＳ測位アシストサーバから前記制御局に前記ＧＰＳ測位アシストデータが要求されるようスケジューリングするので、ネットワークリソースの有効利用を図ることができ、かつ、各制御局からのＧＰＳ測位アシストデータの要求タイミングが自律的に分散され、ＧＰＳ測位アシストサーバの処理負荷を分散させることができる。
【０００９】
また、請求項４記載のＧＰＳ測位アシストデータ配信システムは、請求項１において、前記第２のアシストデータ配信スケジュール管理手段は、夜間時間帯の場合は、一定時間経過後で初めての要求であった場合に、前記ＧＰＳ測位アシストサーバから前記制御局に前記ＧＰＳ測位アシストデータが配信されるようスケジューリングすることを特徴とする。この構成によれば、夜間時間帯の低トラヒックと予想される場合は、一定時間経過後で初めての要求であった場合に、前記ＧＰＳ測位アシストサーバから前記制御局に前記ＧＰＳ測位アシストデータが配信されるようスケジューリングするので、ネットワークリソースの有効利用を図ることができ、かつ、各制御局からのＧＰＳ測位アシストデータの要求タイミングが自律的に分散され、ＧＰＳ測位アシストサーバの処理負荷を分散させることができる。
【００１０】
また、請求項５記載のＧＰＳ測位アシストデータ配信システムは、請求項１において、前記第２のアシストデータ配信スケジュール管理手段は、日中時間帯の場合は、一定時間経過時点で前記ＧＰＳ測位アシストサーバから前記制御局に前記ＧＰＳ測位アシストデータが要求されるようスケジューリングすることを特徴とする。この構成によれば、日中時間帯の高トラヒックと予想される場合は、一定時間経過時点で前記ＧＰＳ測位アシストサーバから前記制御局に前記ＧＰＳ測位アシストデータが要求されるようスケジューリングするので、ネットワークリソースの有効利用を図ることができる。
【００１１】
また、請求項６記載のＧＰＳ測位アシストデータ配信方法は、ＧＰＳ測位アシストサーバに蓄えられＧＰＳ測位演算を行う際に必要となる複数の衛星それぞれに対応するＧＰＳ測位アシストデータをＧＰＳ測位アシストデータ要求機器から要求された際に該ＧＰＳ測位アシストデータ要求機器に配信するＧＰＳ測位アシストデータ配信方法であって、前記ＧＰＳ測位アシストデータ要求機器から要求される測位要求数のトラヒック量と時刻情報とに基づいて、アシストデータ配信スケジュールを作成し、当該アシストデータ配信スケジュールに従って、前記ＧＰＳ測位アシストサーバに蓄えられた前記ＧＰＳ測位アシストデータを前記ＧＰＳ測位アシストデータ要求機器に配信することを特徴とする。この構成によれば、トラヒック量または時刻情報に応じて制御局からＧＰＳ測位アシストサーバへアシストデータを要求するスケジュールを制御し、最適なアシストデータ配信を行なうことで、ネットワークリソースの有効利用を図ることができる。
【発明の効果】
【００１２】
以上説明したように、本発明は、移動機からのアシストデータ要求とは非同期であるが、トラヒック量に応じて制御局からＧＰＳ測位アシストサーバへアシストデータを要求するスケジュールを制御し、最適なアシストデータ配信を行なうことで、ネットワークリソースの有効利用を図ることができる。
また、時間帯に応じて制御局からＧＰＳ測位アシストサーバへアシストデータを要求するスケジュールを制御し、最適なアシストデータ配信を行なうことで、ネットワークリソースの有効利用を図ることができ、かつ、各制御局からのＧＰＳ測位アシストデータの要求タイミングが自律的に分散され、ＧＰＳ測位アシストサーバの処理負荷を分散させることができる。
【発明を実施するための最良の形態】
【００１３】
以下、図面を参照して、本発明の実施形態に係るＧＰＳ測位アシストデータ配信システムについて詳細に説明する。
［第１実施形態］
図１は、本発明の第１実施形態に係るＧＰＳ測位アシストデータ配信システムの構成および動作を示す概略図である。
同図に示すように、本システムは、移動機（ＵＥ：Ｕｓｅｒ  Ｅｑｕｉｐｍｅｎｔ）１，制御局（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）２，ＧＰＳ（Ｇｌｏｂａｌ  Ｐｏｓｉｔｉｏｎｉｎｇ  Ｓｙｓｔｅｍ）測位アシストサーバ（ＳＡＳ：Ｓｔａｎｄ  Ａｌｏｎｅ  ＳＭＬＣ）３，コアネットワーク（ＣＮ：Ｃｏｒｅ  Ｎｅｔｗｏｒｋ）４，ＧＰＳ基準局５,ＧＰＳ衛星６からなる。
【００１４】
次に、各部の構成について説明する。
移動機１は、ＧＰＳ測位アシストデータを要求する移動通信端末であり、例えば携帯電話網により制御局２と双方向に通信可能とされており、測位演算をする際に制御局２を介してＧＰＳ測位アシストサーバ３に対してＧＰＳ測位アシストデータの配信を要求し、これに応じてＧＰＳ測位アシストサーバ３が制御局２を介して送信するＧＰＳ測位アシストデータを受け取る。
【００１５】
制御局（ＵＴＲＡＮ）２は、移動機１と双方向に通信可能で、移動機１からＧＰＳ測位アシストデータを要求されると、ＧＰＳ測位アシストデータを取得して移動機１に対してＧＰＳ測位アシストデータを配信する。また、ＧＰＳ測位アシストサーバ３に対して、ＧＰＳ測位アシストデータを要求するのが制御局２である。ＧＰＳ測位アシストサーバ３とは、専用のケーブル回線或いはインターネット網等により接続され、ＧＰＳ測位アシストサーバ３に対してＧＰＳ測位アシストデータを要求し、ＧＰＳ測位アシストサーバ３で作成されたＧＰＳ測位アシストデータを受け取る。
【００１６】
ＧＰＳ測位アシストサーバ（ＳＡＳ）３は、制御局２に対してＧＰＳ測位アシストデータを提供する機器であり、例えば、複数のＧＰＳ基準局５に対して１基が設けられている。ＧＰＳ測位アシストサーバ３は、制御部と記憶部（図示せず）とから構成され、専用のケーブル回線或いはインターネット網等によりＧＰＳ基準局５と接続されている。また、ＧＰＳ測位アシストサーバ３は、ＧＰＳ基準局５が収集した航法メッセージを蓄積してＧＰＳ基準局５毎にＧＰＳ測位アシストデータを生成し、これを記憶部に記憶する。また、ＧＰＳ測位アシストサーバ３は、ＧＰＳ基準局５から新たな航法メッセージを受け取る度に、ＧＰＳ測位アシストデータを更新する。
【００１７】
コアネットワーク４は、基幹伝送回路であり、移動機１からの測位要求を制御局２を介して受け取る。主として位置制御、呼制御、サービス制御などを行い、交換局、加入者データ、ＨＬＲ（Ｈｏｍｅ  Ｌｏｃａｔｉｏｎ  Ｒｅｇｉｓｔｅｒ）、ＳＣＰ（Ｓｅｒｖｉｃｅ  Ｃｏｎｔｒｏｌ  Ｐｏｉｎｔｓ）などが含まれ、固定端末や他の移動端末との通話路を設定したりする。
ＧＰＳ基準局５は、地上に設定された複数のエリアに対して夫々１局ずつが設けられ、夫々地球を周回する複数のＧＰＳ衛星６から発信されたＧＰＳ信号を受信し、これを解読して航法メッセージを得る。
ＧＰＳ衛星６は、地球の上空を周回し、擬似雑音符号化された微弱な高周波電波（以下、ＧＰＳ信号という）を発信する。
【００１８】
次に、ＧＰＳ測位アシストデータの要求および配信の方法について説明する。
制御局（ＵＴＲＡＮ）２におけるＧＰＳ測位アシストデータの要求は、移動機（ＵＥ）１の測位要求とは非同期で行なわれる。制御局（ＵＴＲＡＮ）２は、移動機１からのトラヒック量の監視または時刻情報の管理を行い、ＧＰＳ測位アシストデータの要求タイミングをスケジューリングし、移動機１からＧＰＳ測位アシストデータの要求を受けると、必要に応じてＧＰＳ測位アシストサーバ（ＳＡＳ）３へＧＰＳ測位アシストデータを要求する。
ＧＰＳ測位アシストデータの配信は、ＧＰＳ測位アシストサーバ（ＳＡＳ）３が、制御局（ＵＴＲＡＮ）２のアシスト要求に対して、ＧＰＳ衛星６から受信したＧＰＳ測位アシストデータを要求元の制御局（ＵＴＲＡＮ）２へ配信する。
【００１９】
次に、図１を参照して、本発明の実施形態に係るＧＰＳ測位アシストデータ配信システムの動作について説明する。
まず、ステップＳ１１において、移動機１から制御局２に測位要求を送信し、ＧＰＳ測位アシストデータの配信を要求する。この測位要求は、制御局２を介してコアネットワーク４にも伝達される。
次に、ステップＳ１２において、制御局２は、移動機１から測位要求があった場合のＧＰＳ測位アシストデータの配信スケジュールを管理し、一定時間経過後で初めての要求であれば、ＧＰＳ測位アシストサーバ３に対してＧＰＳ測位アシストデータを要求して、ＧＰＳ測位アシストデータを取得し、移動機１に対して取得したＧＰＳ測位アシストデータを配信する。
【００２０】
次に、ステップＳ１３において、ＧＰＳ基準局５は、ＧＰＳ衛星６から発信されたＧＰＳ信号を収集し、これを解読して航法メッセージを得る。この航法メッセージを、ＧＰＳ測位アシストサーバ（ＳＡＳ）３に送る。
次に、ステップＳ１４において、ＧＰＳ測位アシストサーバ３は、収集した航法メッセージなどのデータに基づいてＧＰＳ測位アシストデータを生成し、保持しておく。
【００２１】
次に、ステップＳ１５において、ＧＰＳ測位アシストサーバ３は、制御局２からの要求に応じてＧＰＳ測位アシストデータを配信する。
次に、ステップＳ１６において、制御局２は、移動機１に対してＧＰＳ測位アシストデータを配信する。ＧＰＳ測位アシストデータの送受は、移動機（ＵＥ）１〜無線網制御装置（ＲＮＣ：Ｒａｄｉｏ  Ｎｅｔｗｏｒｋ  Ｃｏｎｔｒｏｌｌｅｒ）である制御局２間で閉じて行なう。
【００２２】
〔第２実施形態〕
図２は、本発明の第２実施形態に係るＧＰＳ測位アシストデータ配信システムの動作を示すシーケンス図である。この図は、トラヒック量監視に基づく制御局と測位アシストサーバと間のデータ配信方式を示す図である。
同図に示すように、本実施形態では、制御局２にて移動機１からの測位要求のトラヒック量を監視し、トラヒック量に応じて最適なＧＰＳ測位アシストデータの配信スケジュールを選択し、この配信スケジュールに従ってＧＰＳ測位アシストサーバ３へＧＰＳ測位アシストデータを要求するシステムである。配信スケジュールを選択する際、制御局２は、単位時間当たりのトラヒック量を常時監視し、設定された閾値を超過した時点で、一定期間（例えば、１０分間）に限り、高トラヒック環境に適した測位アシストデータ配信方法を選択する。ここでは、以下の２つの方法をトラヒック量が多い状況と少ない状況で選択し、ＧＰＳ測位アシストデータ配信タイミングをスケジューリングする。以下、高トラヒックの場合と低トラヒックの場合とに分けて説明する。
【００２３】
（１）高トラヒックの場合は、制御局２から定期的にＧＰＳ測位アシストサーバ３へＧＰＳ測位アシストデータを要求し、ＧＰＳ測位アシストサーバ３においてＧＰＳ測位アシストデータの変更が生じていると、このＧＰＳ測位アシストデータの更新周期・有効期間に合わせてＧＰＳ測位アシストデータが変更され、変更後のＧＰＳ測位アシストデータが制御局２を介して移動機１に配信される。
（２）低トラヒックの場合は、移動機１からのＧＰＳ測位アシストデータ要求時に制御局２で保持するデータが一定時間を経過している場合のみＧＰＳ測位アシストサーバ３へデータを要求し、ＧＰＳ測位アシストサーバ３から制御局２を介してＧＰＳ測位アシストデータが配信される。
【００２４】
次に、図２を参照して、本実施形態によるＧＰＳ測位アシストデータ配信方法（トラヒック量に基づいてＧＰＳ測位アシストデータを配信する方法）を具体的に説明する。
まず、移動機１から制御局２に対してＧＰＳ測位アシストデータの要求があった場合（ステップＳ２１）、制御局２は、ＧＰＳ測位アシストサーバ３に対してこのＧＰＳ測位アシストデータの要求を行なう（ステップＳ２２）。ここで、一定期間時間を計測し、その間、移動機１からＧＰＳ測位アシストデータの要求があった場合でも、ＧＰＳ測位アシストサーバ３に対してＧＰＳ測位アシストデータの要求は行なわず（ステップＳ２３）、一定時間経過後（ステップＳ２４），初めて移動機１からＧＰＳ測位アシストデータの要求があった場合には、ＧＰＳ測位アシストサーバ３に対してＧＰＳ測位アシストデータの要求を行なう（ステップＳ２５）。次の一定時間経過後（ステップＳ２６）、移動機１からの測位要求のトラヒックが閾値を超えているか否かを判断し（ステップＳ２７）、一定時間経過時点で、ＧＰＳ測位アシストサーバ３に対してデータＧＰＳ測位アシストデータを要求し、ＧＰＳ測位アシストサーバ３から制御局２に対してＧＰＳ測位アシストデータが配信される（ステップＳ２８）。
【００２５】
〔第３実施形態〕
図３は、本発明の第３実施形態に係るＧＰＳ測位アシストデータ配信システムの動作を示すシーケンス図である。この図は、時刻管理に基づく制御局へ測位アシストサーバ間データ配信方法を示すシーケンス図である。
同図に示すように、本実施形態は、制御局２にて時刻情報を常時管理し、例えば、日中時間帯（０８：００〜２０：００）と夜間時間帯（２０：００〜０８：００）に応じて最適なアシストデータの要求スケジュールを選択し、それに従い、測位アシストサーバへアシストデータを要求する方法である。本実施形態として、以下の２つの方法をトラヒック量が多い状況と少ない状況で選択し、アシストデータの要求タイミングをスケジューリングする。
【００２６】
（１）日中時間帯においては、制御局２からＧＰＳ測位アシストサーバ３へＧＰＳ測位アシストデータを要求し、ＧＰＳ測位アシストサーバ３においてＧＰＳ測位アシストデータの変更が生じていると、このＧＰＳ測位アシストデータの更新周期・有効期間に合わせてＧＰＳ測位アシストデータが変更され、変更後のＧＰＳ測位アシストデータが制御局２を介して移動機１に配信される。ＧＰＳ測位アシストデータの更新周期・有効期間に合わせて定期的にＧＰＳ測位アシストデータを要求する。
（２）夜間時間帯においては、移動機１からのＧＰＳ測位アシストデータ要求時に制御局２で保持するデータが一定時間を経過している場合のみＧＰＳ測位アシストサーバ３へデータを要求し、ＧＰＳ測位アシストサーバ３から制御局２を介してＧＰＳ測位アシストデータが配信される。
【００２７】
次に、図３を参照して、本実施形態におけるＧＰＳ測位アシストデータ配信方法（時刻情報に基づいてアシストデータを配信する方法）について説明する。
ＧＰＳ測位アシストデータの要求は、移動機の測位要求とは非同期で行なわれる。制御局２にて時刻情報の管理を行なうことにより、移動機１からのアシストデータの要求に対する配信タイミングをスケジューリングし、必要に応じてＧＰＳ測位アシストサーバ３へアシストデータを要求する。
【００２８】
具体的には、同図に示すように、ステップＳ３１〜ステップＳ３５までを夜間時間帯とし、ステップＳ３６〜ステップＳ３７を日中時間帯とする。
まず、移動機１から制御局２に対してＧＰＳ測位アシストデータの要求があった場合（ステップＳ３１）、制御局２は、ＧＰＳ測位アシストサーバ３に対してこのアシストデータ要求を行なう（ステップＳ３２）。ここで、一定期間計測し、その間、移動機１からＧＰＳ測位アシストデータの要求があった場合でも、ＧＰＳ測位アシストサーバ３に対してＧＰＳ測位アシストデータの要求は行なわず、移動機１からの測位要求のトラヒックを抑制する（ステップＳ３３）。一定時間経過後（ステップＳ３４）、初めて移動機１からＧＰＳ測位アシストデータの要求があった場合には、ＧＰＳ測位アシストサーバ３に対してアシストデータの要求を行なう（ステップＳ３５）。その後、次の一定期間経過後（ステップＳ３６）まではＧＰＳ測位アシストサーバ３に対してアシストデータの要求を行なわず、移動機１からの測位要求のトラヒックを抑制し、一定時間経過時点でＧＰＳ測位アシストデータを要求する（ステップＳ３７）。
【００２９】
以上説明したように、移動機１から制御局２に対する測位要求のトラヒック量、または時刻情報に基づいて制御局２からＧＰＳ測位アシストサーバに対してＧＰＳ測位アシストデータを要求することにより、ＮＷリソースの有効利用を図ることができる。
【図面の簡単な説明】
【００３０】
【図１】本発明の第１実施形態に係るＧＰＳ測位アシストデータ配信システムの構成および動作を示す概略図である。
【図２】本発明の第２実施形態に係るＧＰＳ測位アシストデータ配信システム（トラヒック量監視に基づく制御局〜測位アシストサーバ間データ配信）を示すシーケンス図である。
【図３】本発明の第３実施形態に係るＧＰＳ測位アシストデータ配信システム（時刻管理に基づく制御局〜測位アシストサーバ間データ配信）を示すシーケンス図である。
【符号の説明】
【００３１】
１…移動機（ＵＥ）、２…制御局（ＵＴＲＡＮ）、３…ＧＰＳ測位アシストサーバ（ＳＡＳ）、４…コアネットワーク（ＣＮ）、５…ＧＰＳ基準局、６…ＧＰＳ衛星
【図１】
2006058178.tif 000003
【図２】
2006058178.tif 000004
【図３】
2006058178.tif 000005